(57)【要約】つま先側およびかかと側のシューホルダー（５、７）が支持部品（８、９）に配置され、これら支持部品は、スキーに固定取り付け可能な結合具ベース（２）に対して、縦方向に位置調節可能な状態で配置されている。これら支持部品はスライダーとして形成され、このスライダーは、スキー上面と結合具ベースの間に、縦方向に位置調節可能な状態で配置されている。この場合スキーと結合具ベースが共同作用することにより、支持部品は垂直方向を固定して取り付けられている。そのほか支持部品は、結合具ベースに配置された案内形材（１２）に噛み込み、この形材によって支持部品は横方向に動くことなく案内される。
2007501037.tif 000002
【特許請求の範囲】
【請求項１】
スキー（４）ないしスノーボードに用いる結合具において、すなわちこの配置物は、前部ないしつま先側、ならびに後部ないしかかと側のシューホルダー（５、７）と、そのシューホルダーを保持する支持部品（８、９）とを備え、この支持部品は、スキーまたはスノーボードに固定取り付け可能な結合具ベース（２）に対して、結合具の縦方向に位置調節可能な状態で配置されている、上記の結合具において、結合具ベース（２）が、支持部品（８、９）の領域においては、スキー（４）ないしスノーボードの上面に対して開いているわん部構造の部品として、そして支持部品のいずれもがスライダーとして形成され、そのスライダーは、スキーないしスノーボードの上面と結合具ベースの間で縦方向に位置調節可能な状態で配置されており、この場合これら支持部品は、第１には、スキーないしスノーボードと、結合具ベースの左右の縦方向エッジ部分（１０．１１）との間で、垂直方向には動かない状態で、第２には、スキーないしスノーボードの上面に向けられた、かつ結合具の縦方向に伸びる案内形材（１２）に、形状結合的に噛み込むことにより、結合具ベースにそって横方向に動かない状態で案内されることを特徴とする、上記の結合具。
【請求項２】
支持部品（８、９）が、たがいに反対方向に同時に位置調節可能な状態で、たがいに結合されていることを特徴とする、請求項１に記載の結合具。
【請求項３】
支持部品（８、９）が１つのねじつきスピンドル（１４）によって結合され、このねじつきスピンドルは、一方の支持部品に割り当てられた右回りのねじ部と、他方の支持部品に割り当てられた左回りのねじ部とを持つことを特徴とする、請求項１または２に記載の結合具。
【請求項４】
支持部品（８、９）の相手側ねじ部品（２２）にねじ込まれ、主としてこれら相手側ねじ部品だけでラジアル軸受けされるねじつきスピンドル（１４）が、結合具ベース（２）の開かれた下側から、結合具ベースのスラスト軸受に挿入可能であることを特徴とする、請求項３に記載の結合具。
【請求項５】
支持部品（８、９）の相手側ねじ部品（２２）にねじ込まれ、主としてこれら相手側ねじ部品だけでラジアル軸受けされるねじつきスピンドル（１４）が、結合具ベース（２）の開かれた下側から、結合具ベースの２つの湾曲脚部（１６）の間にはめ込み可能であり、これにより結合具ベースに確保可能であることを特徴とする、請求項３または４に記載の結合具。
【請求項６】
ねじつきスピンドル（１４）が、円周に多数のラチェット歯を持つラチェットホイールを備え、このラチェット歯は、結合具ベース（２）に固定されかつ弾性あるラチェット機構と共同作用することを特徴とする、請求項３〜５のいずれか１項に記載の結合具。
【請求項７】
ノッチとして働く条溝を持つリーフスプリングを、ラチェット機構として備えることを特徴とする、請求項６に記載の結合具。
【請求項８】
一方のシューホルダー（５）がＣ字形フレームとして形成され、このフレームのＣ字末端が、当該一方の支持部品（８）に接する結合具ベース（２）の左右の縦方向エッジ部分（１０）を、横方向から把握し、当該一方の支持部品において縦方向エッジ部分に向かって開く中空部に、回転軸受けされていることを特徴とする、請求項１〜７のいずれか１項に記載の結合具。
【請求項９】
他方の任意にロック、ロック解除可能なシューホルダー（７）が、もう１つのＣ字形フレーム（６）のオフセットされた中央領域に配置され、このフレームのＣ字末端が、当該他方の支持部品（９）に接する結合具ベース（２）の左右の縦方向エッジ部分（１１）を、横方向から把握し、当該他方の支持部品（９）において縦方向エッジ部分に向かって開く中空部（１９）に、回転軸受けされていることを特徴とする、請求項１〜７のいずれか１項に記載の結合具。
【請求項１０】
シューホルダー（７）がＣ字形フレーム（６）に回転軸受けされている部品を備え、この部品にはＣ字形フレームを貫通させるための大きい開口部（２９）が設けられていることと、フレームにシューホルダーを取り付けた状態のとき、フレームにシューホルダーの部分を遊びなしにラジアル軸受けするため、インサートないし充填片（３０）によって、この大きい開口部を狭めることができることとを特徴とする、請求項１から９のいずれか１項に記載の結合具。
【請求項１１】
インサートないし充填片（３０）は、シューホルダーの部分（７′）の側壁、かつ大きい開口部（２９）を備える当該側壁の内側に挿入可能であり、シューホルダーのもう１つの部分（７″）によって確保可能であることを特徴とする、請求項１０に記載の結合具。
【発明の詳細な説明】
【技術分野】
【０００１】
本発明は、スキーないしスノーボードに用いる次のような結合具に関する。すなわちこの結合具は、前部ないしつま先側の、ならびに後部ないしかかと側のシューホルダーと、そのシューホルダーを保持する支持部品とを備え、この支持部品は、スキーまたはスノーボードに固定された結合具ベース（訳注：原文の用語法は、明細書本文前半ではＢａｓｉｓａｎｏｒｄｎｕｎｇ「結合具ベース」、図面を用いた後半の説明ではＢａｓｉｓｐｌａｔｔｅｎａｎｏｒｄｎｕｎｇ「結合具ベース板」としているので、訳文もそれを反映した）に対して、結合具の縦方向に位置調節可能な状態で、取り付けられている。
【背景技術】
【０００２】
ＵＳ３，８５７，１８６の場合、このような結合具において、次のことを意図する。すなわち、シューホルダーないしその支持部品をたがいに結合するが、この結合は、これら支持部品をたがいに反対方向に同時に移動して、大きさの異なる靴に結合具を適合できるようにするため行う。
【０００３】
このＵＳ３，８５７，１８６の場合、この結合具ベースをプレート状の扁平な直方体ハウジングとし、このハウジングの閉じた下面がスキーに密着して取り付けられている。上面は、ハウジングの縦方向に伸びる開口部を備え、この開口部は、その中をスライド可能なシューホルダー支持部品を案内するのに用いられる。この開口部の縦方向エッジは、支持部品の対応する左右の溝に噛み込むことができる。支持部品ないしそれに支持されるシューホルダーを、運動に合わせて結合し、調整するため、１つのねじつきスピンドルを設けることができる。このスピンドルはこのベース部品内部に、軸方向にスライドできないが、回転可能な状態で取り付けられ、ねじの方向が反対である２つのねじ部を備える。この場合一方の支持部品は一方のねじ部に、そして他方の支持部品は他方のねじ部に、ねじの回転による位置調節可能な状態で配置されている。
【０００４】
またＵＳ３，８５７，１８６の場合、シューホルダーを運動に合わせて結合するためのそのほかの手段、たとえばラックアンドピニオンも提案される。
【０００５】
ＡＴ４０２９００Ｂで知られている結合具は、同時的な位置調節のため運動に合わせて結合されたシューホルダーを備え、このシューホルダーをスライダーとして形成する。このスライダーはさらに、スキーに固定されたベースプレート上を案内され、そのためこのベースプレートは、たとえばＣ字形の断面を持つ縦方向エッジを備えるものとすることができる。
【０００６】
ＥＰ０８５７４９８Ｂ１には、主としてスノーボードのため考えられた結合具を記載する。この結合具は固定されたベースプレートである。このベースプレートは、スノーボードの上側の中央部分に、ねじの回転による位置調節可能な状態で固定されている。この固定は、ベースプレートの末端領域がスノーボードの上面と間隔を取る状態で行われる。すなわちこれら末端領域は、スノーボードの上面より上に自己保持しながら伸びる。
【０００７】
この末端領域に、支持部品がスライド可能な状態で配置され、これら支持部品はさらにシューホルダーを保持するために用いられる。これら支持部品は、ベースプレートをパイプ状に把握する位置関係にある。このＥＰ０８５７４９８Ｂ１に記載の実施形態は、ベースプレートの縦方向に、ねじつきスピンドルによって同時にスライドすることができる。
【発明の開示】
【発明が解決しようとする課題】
【０００８】
本発明の課題は、冒頭に挙げた種類の結合具において、とくに簡単な構造、とくに支持部品のスライド案内に関連して簡単な構造を得ることである。
【課題を解決するための手段】
【０００９】
本発明はこの課題を次のようにして解決する。すなわち結合具ベースを、支持部品領域においては、スキーないしスノーボードの上面に対して開いたわん部構造部品として、そして支持部品のいずれをもスライダーとして形成し、このスライダーは、スキーまたはスノーボードの上面と結合具ベースとの間で、縦方向にスライド可能な状態で配置されるものとする。好ましくはこれら支持部品は、スキーないしスノーボードの上面と、結合具ベースの左右縦方向エッジの一部との間を、垂直方向には動かない状態で案内されるものとする。また案内用形材に形状結合的（訳注：原文はｆｏｒｍｓｃｈｌuｓｓｉｇ。日本語、英語にはない概念で、ドイツでは結合方法を力学的結合ｋｒａｆｔｓｃｈｌuｓｓｉｇ―たとえばベルト、楔、ねじなど―、形状的結合ｆｏｒｍｓｃｈｌuｓｓｉｇ−鉄道連結器、リベット、圧着など―、素材的結合ｓｔｏｆｆｓｃｈｌuｓｓｉｇ―接着、溶接など―の３種に分類している）に噛み込むことにより、結合具ベースを横方向に動かない状態で案内される。この案内用形材は、スキーないしスノーボードの上面を向き、結合具の縦方向に伸びている。
【００１０】
本発明は、次のような一般的考えに基づく。それは、スキーないしスノーボードの上面をほぼ直接に案内部品として、すなわち結合具の支持部品を垂直方向に動かないようにして案内する案内部品として利用しようというものである。この場合、次のような知識を利用する。それは、スキーないしスノーボードは、結合具の取り付けに予定される領域が、かならず強くて荷重に耐える構造であり、したがって案内機能の支持体としてだけでなく、案内エレメントとしても利用できるというものである。
【００１１】
結合具ベースの下面が開いていることにより、支持部品を容易に案内用形材に噛み込ませることができ、その結果、結合具の取り付け全体が著しく簡単になる。
【００１２】
本発明の１つの好ましい実施形態では、支持部品をたがいに反対方向に同時にスライド可能な状態で結合することができ、好ましくはねじつきスピンドルによってこの結合を行い、このスピンドルは、一方の支持部品に割り当てられた右巻きのねじ部と、他方の支持部品に割り当てられた左巻きのねじ部とを備えるものとする。
【００１３】
ここでとくに合目的なのは、支持部品のねじ部にねじ込まれたねじつきスピンドルは、主としてそのねじ部でのみラジアル軸受けされることである。これにより次の可能性が得られる。すなわちねじつきスピンドルは、支持部品のねじ部にねじ込まれた後、結合具ベースの開かれた下面から結合具ベースのスラスト軸受に挿入され、２本の湾曲脚に挟まれることにより、結合具ベースのスラスト軸受に確保される。ここでは支持部品のねじつきスピンドルが、事前組み立てした上で結合具ベースに完全に挿入できるユニットを形成する。
【００１４】
支持部品のねじつき部分とねじつきスピンドルとの結合は、通常のねじピッチであればセルフロック機能を持つ。すなわち支持部品は、スピンドル上で、直接スピンドルに―たとえば何らかのツールを用いて―作用するトルクによってのみ、位置調整可能なものとする。
【００１５】
望ましからざる位置変更を防止するため、本発明の合目的な実施形態は、このねじつきスピンドルの円周に多数のラチェット歯を設けることを意図する。このラチェット歯は、結合具ベースに設けられたラチェット機構と、たとえば結合具ベースに固定されたリーフスプリング上のラチェット機構と、共同作用するものとする。
【００１６】
一方のシューホルダーは、好ましくはＣ字形のフレームの形状とする。そしてこのフレームは、靴の前部ないし靴ソールエッジを捕捉、把握し、またフレームのＣ字末端は、結合具ベース左右の縦方向エッジのうち支持部品に接する部分を、横方向から把握し、またこの縦方向エッジの部分に向かって開かれた横方向溝、かつ支持部品に接する横方向溝に、回転軸受けされている。
【００１７】
他方の任意にロック、ロック解除可能なシューホルダーは、好ましくはもう１つのＣ字形フレームのオフセットされた中央領域に設けられるものとし、このフレームのＣ字形末端は、結合具ベース左右の縦方向エッジの、もう１つの支持部品に接する部分を、横方向から把握し、上記の縦方向エッジ部分に向かって開かれた横方向溝、かつ他方の支持部品に接する横方向溝に、回転軸受けされている。
【００１８】
すなわちこの実施形態の場合、結合具ベースの縦方向エッジのこの部分は、支持部品のＣ字形フレームを保持するためにも用いられている。これにより同時に組み立てが著しく容易になる。
【００１９】
もう１つのシューホルダーは、もう１つのＣ字形フレームに回転軸受けされた部品を備えるものとすることができる。この部品は、このもう１つのＣ字形フレームを差し込むための大きな開口部を設けられ、この開口部は、Ｃ字形フレームにシューホルダーを取り付けた状態のとき、Ｃ字形フレームへのシューホルダー部品のラジアル軸受を遊びのないものとするため、インサートないしフィッティングピースによって小さくすることができる。
【００２０】
この場合とくに次のことを意図することができる。すなわち、大きい開口部を備えるシューホルダーの側壁部から内側に、フィッティングピースを挿入することができるようにし、そしてシューホルダーが使用状態のときは、その内側に隣接するオフセット部分によって、フィッティングピースを確保したいというものである。
【００２１】
そのほか好ましい諸事項に関して、各請求項および図面を参照されたい。また本発明のとくに好ましいバリエーションを用いて、それら諸事項を詳しく説明する。この場合権利保護の範囲は、明文をもって記載または示された事項に限られない。むしろこの権利保護は、それら諸事項の原則的に任意の組み合わせに対しても請求される。
【発明を実施するための最良の形態】
【００２２】
図１、２、４では、図２だけにその一部が示唆されているスキー１、とくにショートスキーの上に、結合具ベース板２が設けられている。この固定にはスキーにねじ込まれるねじ（ここには図示しない）を用いることができ、このねじは、結合具ベース板２の対応する取り付け穴３（図１参照）に差し込まれる。結合具ベース板の上面には、前部および後部の踏面２′および２″が設けられ、これらの踏面は、この結合具に挿入されるスキー靴の前部および後部ソール領域の支持面として用いられる。このスキー靴を図２では点線で示唆する。スキー靴４の固定には、フレーム状の前部シューホルダー５と、もう１つのフレーム６に保持されてロック可能な後部シューホルダー７とが用いられる。前部のフレーム状のシューホルダー５は前部ソールエッジを捕捉し、その際同時につま先部も把握する。後部のシューホルダー７は、その使用ポジションにおいてかかと側のソールエッジを捕捉し、その際同時に靴のソールエッジおよび／またはかかと部を把握する。下記に説明するように、後部シューホルダー７は、結合部から取り外すとき手操作で調節して、図３の位置とすることができる。靴４を結合部に挿入すると、シューホルダー７はこの位置から、図２のロックされた使用位置に自動的に折り返される。すなわち後部のシューホルダー７は、いわゆるつっかけ式ロック機能を持つ。フレーム状の前部のシューホルダー５と、後部シューホルダー７のフレーム６は、それぞれ支持部品８および９に保持され、これら支持部品は、結合具をさまざまに異なるソール長さに適合させるため、スキー１ないし結合具の縦方向にスライド可能かつ調整可能な状態で、配置されている。これについても下記でさらに詳しく説明する。
【００２３】
結合具ベース板２は、スキー１の上面に対して開いているわん形結合具として形成されている。結合具ベース板２がスキー１に取り付けられているとき、このシェルのエッジはスキー上面に固定密着している。シェルエッジには、前部および後部の開口部１０および１１が明いていて、前部および後部の支持部品８および９が、これらの開口部を通って左右に突出する。またこれら支持部品は、結合具ベース板２の下でシェル内部に取り付けられている。
【００２４】
開口部１０および１１の縦方向エッジは、スキー上面とともに、支持部品８および９のうちこれら開口部を貫通する部分に対する垂直案内部を形成する。したがって支持部品８および９は垂直方向を保持される。
【００２５】
ベースプレート２が形成するわん部内面には、図７に記載するように、平行な縦方向突起１２が配置され、この突起１２は側壁部１３を捕捉する。この側壁部１３は、支持部品８および９から成形され、縦方向突起１２に平行である。またこの捕捉によって、支持部品８および９が、スキー１ないし結合具の横方向から保持されるものとする。
【００２６】
支持部品８および９のスライドによる位置調節のため、図２および４に記載のねじつきスピンドル１４が用いられる。このねじつきスピンドルは、前部支持部品８に割り当てられた前部のねじ部と、支持部品９に割り当てられた後部ねじ部をと備える。これらのねじ部は、たがいにねじの方向が反対である。すなわち一方のねじは右回り、他方のねじは左回りである。これらのねじ部により、ねじつきスピンドル１４を、支持部品８および９のそれぞれ相手側ねじ部品にねじ込むことができる。これら相手側ねじ部品の配置ないし取り付けをさらに下記で説明する。ねじつきスピンドル１４（訳注：原文の１７を訂正）は、各ねじ部の間に配置されたリング状突起１５を備え、この突起は、結合具ベース板２のシェル内側に成形された横方向突起と共同作用して、ねじつきスピンドル１４をスラスト軸受けする。
【００２７】
結合具ベース板２をスキー１から分離しても、ねじつきスピンドル１４が結合具ベース板と結合されたままにできるよう、図２および４に示すねじつきスピンドル１４の左側末端が、結合具ベース板２の前部領域におけるポケット状の開口部に差し込まれる。そのほかこのねじつきスピンドル１４は、弾性ある側壁部１６の間の中央領域と噛み合うが、これら側壁部は、結合具ベース板２に成形されたものであって、弾性変形により左右に開くことができる状態で、ねじつきスピンドル１４の円周を把握する。
【００２８】
ねじつきスピンドル１４のラジアル軸受は、支持部品８および９における相手側ねじ部品が行う。
【００２９】
図２および４に示すねじつきスピンドル１４の右側末端には、プラス溝つきヘッドまたは同様なものが配置され、ねじ回し工具をここに挿入して、ねじつきスピンドルを回すことができる。その際支持部品８および９は、スピンドル１４の回転方向に従って、たがいに接近したり離れたりする。
【００３０】
ねじつきスピンドル１４は、支持部品８および９の相手側ねじ部品の中で、セルフロックによりそれぞれの回転位置を保持される。そのほかねじつきスピンドル１４には、さらにラチェットホイール１７が回転を固定されて配置され、ないしはそこに成形されている。このラチェットホイールはその円周に多数のラチェット歯を備え、これらラチェット歯は、結合具ベース板２の（ここには図示しない）ラチェットスプリングと共同作用する。これらラチェットスプリングは、たとえばノッチとして働く条溝をもつリーフスプリングの形状とすることができる。これによりねじつきスピンドル１４は、すぐそばの回転ポジションに自動的にロックされる。
【００３１】
支持部品８および９、ならびに支持部品８および９におけるフレーム５および６の軸受は、原則として同一種類の形状とし、これらは、結合具の１つの垂直断面に関して、たがいに構造的にほぼ対称形とする。下記では図５〜８を用いて、支持部品９についてだけ詳しく説明する。
【００３２】
支持部品９は側壁部１３の横に、スキー上面に密着する比較的扁平なアーム１８を備え、そのアームの上面に、上から見るとほぼＺ字形の中空部１９を形成する。この中空部の中央部分はそれぞれ横方向に延びている。いずれの中空部も一方の末端部分は、その方向にあるフランク１３に平行に位置する。他方の末端部分は、各アーム１８の末端領域内部にあって、フランク１３と平行に形成されている。
【００３３】
結合具の横方向に伸びる中空部１９中央部分は、フレーム６の横方向に伸びる末端６′の受け具として用いられる（図９参照）。この場合、中空部１９からフレーム６の末端部分６′が外れるのを、結合具ベース板２の開口部１１の縦方向エッジによって防止する。すなわち開口部１１の縦方向エッジと中空部１９との間で、フレーム６の末端部分６′が、半径方向の遊びなしに保持される。
【００３４】
フレーム６の末端部分６′は、ほぼ直角に曲げられた自由な末端を持ち、この末端は支持部品９の側壁部１３に弾性作用しながら密着する。フレーム６が図２および図４に示す各位置の間を旋回するとき、そのほぼ直角に曲がった両末端は、側壁部１３に成形された垂直で細長い突起部分２０において若干左右に開く。その結果としてフレームの旋回運動の際には、１つの手ごたえのあるポイントを通過しなければならないことになる。
【００３５】
そのほか、図２および４に示すフレーム６の旋回位置は最終位置を示す。この最終位置には次のようにして到達する。支持部品９のアーム１８の末端では、そこで縦方向に伸びる中空部１９の領域に、傾斜面が形成されているが、図２の位置の場合、フレーム６の脚がこの傾斜面に密着することにより到達する（図２参照）。図４の最終位置は次のようにして決定される。末端部分６′のほぼ直角に曲がった末端が、中空部１９のうち側壁部１３にそって伸びる部分の底部に密着することによる。
【００３６】
支持部品９には下方に開くポケット２１が形成され、このポケットには下方からナット２２を挿入できる（図８参照）。このナットは、ねじつきスピンドル１４の割り当てられたねじ部に対して、相手側ねじ部品として用いられ、上記のポケット２１に、回転しない状態かつ軸方向にスライドしない状態で保持される。
【００３７】
フレーム６はその中央部分にオフセット６″を持ち、これに部分６″′がこれに続く。この後者の部分は、後部シューホルダー７の取り付け軸として用いられる。
【００３８】
後部シューホルダー７は、図２および３に記載の通り、スキー靴４と共同作用するシューホルダーの部分７′、ならびに軸２３を中心に旋回可能な状態で前記部分と結合されている操作具７″を備える。さらに軸２３はヒンジスプリング２４を取り付けられ、このヒンジスプリングは操作具７″を、図２に示すシューホルダーの部分７′に対し、反時計回りに旋回させようとする。
【００３９】
シューホルダーの部分７′は、軸２３とは間隔を取って、フレーム６の部分６″′に回転取り付けされている。操作具７″は、フレーム６のオフセット部分６″と共同作用する。そのため操作具７″に突起２５を成形し、この突起は、シューホルダー７が図２に示す位置にあるとき、オフセット部分６″を幅広く捕捉する。この場合、オフセット部分６″が、操作具７″の突起２５のそばに形成された凹部２６に完全に収められると、捕捉されたことになる。図２の位置ではシューホルダーの部分７′がロックされる。すなわち、フレーム６に対して時計回りとなる回転が遮断される。なぜならばシューホルダーの部分７′は操作具７″を、フレーム６に対して時計回りの回転方向には動かすことができないからである。これは、図２に示す操作具７″の突起２５が、オフセット部分６″に関して上死点（訳注：「過死点位置」はUｂｅｒｔｏｔｐｕｎｋｔの直訳。詳細不明です）を取ることに基づく。
【００４０】
操作具７″を手操作で図２に示す位置から時計回りに位置調節するならば、操作具を図３の位置に傾倒させることができる。この位置でシューホルダーの部分７′が、靴４を解放する位置に運ばれる。図３に示すシューホルダーのポジションは自己保持される。なぜならば操作具７″の突起２５が、ヒンジスプリング２４によって、オフセット部分６″に関して上死点に保持されるからである。
【００４１】
シューホルダー７が図３のポジションを取って、靴４が結合部に挿入されるとき、シューホルダーの部分７′に成形された爪２７が踏み込まれる。その結果シューホルダーの部分７′は、図３の位置から反時計回りに旋回する。その際操作具７″はいっしょに旋回し、ヒンジスプリング２４の力の下で図２の位置に収まる。この位置でシューホルダーの部分７′はロックされ、そのエッジ２８は、スキー靴４のソールの後方エッジを捕捉する。
【００４２】
シューホルダー７をフレーム６の上に配置できるようにするため、シューホルダーの部分７′に、フレーム６を貫通させるための大きな開口部２９を設ける。この開口部には、図１１および１２では下左に位置する凹部を形成する。この凹部はフレームの部分６″′の取付基盤として形成されている。フレーム６の部分６″′を開口部２９の上記凹部に保持するために、開口部２９に充填片３０を挿入することができる。しかもこの挿入は、シューホルダーの部分７′の側壁内側から行うことができる。操作具７″をシューホルダーの部分７′に取り付けた後、この充填片に紛失防止を施して操作具７″に固定する。
【００４３】
フレーム６を支持部品９に取り付ける場合に述べたと原則的に同じ方法で、フレーム５は支持部品８に取り付けられる。そのほか支持部品８もまた、相手側ねじ部品として働くナット２２を収めるポケットを備える。
【図面の簡単な説明】
【００４４】
【図１】本発明による結合具の上面図であるが、この図ではシューホルダーを省略している。
【図２】本発明による結合具の垂直縦断面図であって、使用ポジションにあるシューホルダーを併せて示す。
【図３】着脱ポジションにある後部シューホルダーであって、図２に対応する断面図。
【図４】図２に対応する断面図であるが、シューホルダーが搬送ポジションにあるもの。
【図５】後部シューホルダーに割り当てられた後部支持部品の上面図。
【図６】図５を矢印Ｂの方向から見た正面図。
【図７】図４および５を線Ａ−Ａ′で切った断面図。
【図８】図５を線Ｆ−Ｆ′で切った断面図。
【図９】後部シューホルダーのフレームの見取り図。
【図１０】図９を矢印Ｃの方向から見たフレームの側面図。
【図１１】後部シューホルダーにおいてかかと側のソール末端と共同作用するシューホルダー部品の側面図。
【図１２】上記シューホルダー部品の垂直断面図。
【図１】
2007501037.tif 000003
【図２】
2007501037.tif 000004
【図３】
2007501037.tif 000005
【図４】
2007501037.tif 000006
【図５】
2007501037.tif 000007
【図６】
2007501037.tif 000008
【図７】
2007501037.tif 000009
【図８】
2007501037.tif 000010
【図９】
2007501037.tif 000011
【図１０】
2007501037.tif 000012
【図１１】
2007501037.tif 000013
【図１２】
2007501037.tif 000014
【国際調査報告】
2007501037.tif 000015
2007501037.tif 000016
2007501037.tif 000017
2007501037.tif 000018
2007501037.tif 000019
2007501037.tif 000020